(57)【要約】  雑音抑制のためのパネル（１０）は、隣接する剛性要素間に間隙を有して互いに平行に延びる多数の剛性要素（１２）から構成される。各間隙内には、音響波を減衰する渦室（１５）が定められる。要素（１２）は、湾曲縁部分（１４）を有することができ、隣接要素（１２）の縁部分（１４）は、重なって渦室（１５）を定め、かつ渦室（１５）とその周囲で連通してタンジェンシャル構成要素と位置合わせする第１のチャネル（１６ａ）及び第２のチャネル（１６ｂ）も定め、そのために流体がいずれかのチャネル（１６ａ又は１６ｂ）を通って流れるとしたら、流体は、渦室（１５）に対する回転方向を有して渦室（１５）に入ると考えられ、回転方向は、両方のチャネル（１６ａ、１６ｂ）に対して同じである。そのような音減衰パネルは、例えば、ラウドスピーカハウジング（５０）の壁の一部として使用することができる。【選択図】図１
2018506738.tif 000002
【特許請求の範囲】
【請求項１】
雑音抑制のためのパネルであって、
互いに平行に延びる多数の剛性要素、
を含み、
隣接剛性要素間に間隙があり、
各間隙内には、音響波を減衰する渦室が定められる、
ことを特徴とするパネル。
【請求項２】
前記剛性要素は、湾曲縁部分を有し、隣接要素の該縁部分は、互いに重なり、隣接要素の該重なった縁部分は、その間に前記渦室を定め、かつ該渦室の周囲で該渦室と連通して該渦室に対してタンジェンシャルな構成要素と位置合わせする第１のチャネル及び第２のチャネルも定め、そのために流体が該第１のチャネルを通って又は該第２のチャネルを通って流入するとすれば、該流体は、該渦室に対する回転方向を有して該渦室に入ると考えられ、該回転方向は、該第１のチャネル及び該第２のチャネルに対して同じであることを特徴とする請求項１に記載のパネル。
【請求項３】
前記渦室の幅が、前記第１のチャネルの幅の少なくとも２倍かつ該第２のチャネルの幅の少なくとも２倍であることを特徴とする請求項２に記載のパネル。
【請求項４】
前記剛性要素を相互接続し、かつ前記間隙の望ましい幅を有して該剛性要素を互いに保持するための連結要素を同じく含むことを特徴とする請求項１から請求項３のいずれか１項に記載のパネル。
【請求項５】
各剛性要素が、前記縁部分間の異なる中間位置で少なくとも１対の突出湾曲リブも定め、該対は、より短い湾曲リブ及びより長い湾曲リブから構成され、隣接要素の該縁部分が互いに重なる時に１つの要素のより短い湾曲リブが該隣接要素の該より長い湾曲リブ内に延びてそれらの間に２次渦室を定めるように配置されることを特徴とする請求項２に記載のパネル。
【請求項６】
前記剛性要素は、隣接要素の前記縁部分が互いに重なるように配置された時に、前記２次渦室の周囲で該２次渦室と連通して該２次渦室に対してタンジェンシャルな構成要素と位置合わせする第１の２次チャネル及び第２の２次チャネルも定め、そのために流体が該第１の２次チャネルを通って又は該第２の２次チャネルを通って流入するとすれば、該流体は、該２次渦室に対する回転方向を有して該２次渦室に入ると考えられ、該回転方向は、該第１の２次チャネル及び該第２の２次チャネルに対して同じであり、
前記第１の２次チャネルは、前記第１のチャネル又は前記第２のチャネルのいずれかと前記２次渦室から遠隔の位置で連通する、
ことを特徴とする請求項５に記載のパネル。
【請求項７】
前記湾曲縁部分によって定められた前記渦室及び前記突出湾曲リブの対によって定められた前記２次渦室は、異なる半径方向寸法のものであることを特徴とする請求項５又は請求項６に記載のパネル。
【請求項８】
前記２次渦室の幅が、前記第１の２次のチャネルの幅の少なくとも２倍かつ前記第２の２次チャネルの幅の少なくとも２倍であることを特徴とする請求項６又は請求項７に記載のパネル。
【請求項９】
互いに平行に長手方向に延びる剛性要素の複数のセットを含み、間隙が、隣接する剛性要素間の各セットにあり、かつ渦室が、各間隙内に定められ、
前記剛性要素のセットは、前記長手方向に連続して配置され、パネルが、剛性要素の各連続するセット間に板も含み、そのために各板が、剛性要素の隣接するセットによって定められた前記渦室に対して端部を定める、
ことを特徴とする請求項１から請求項８のいずれか１項に記載のパネル。
【請求項１０】
連続するセット内の前記剛性要素は、互いに位置合わせしていることを特徴とする請求項９に記載のパネル。
【請求項１１】
請求項１から請求項１０のいずれか１項に記載のパネルに使用するための剛性要素であって、
別のそのような剛性要素に隣接して置かれた時に渦室を定める手段、
を含むことを特徴とする剛性要素。
【請求項１２】
反対方向に湾曲している対向する縁部に沿った縁部分を有することを特徴とする請求項１１に記載の剛性要素。
【請求項１３】
Ｓ字形断面のものであることを特徴とする請求項１２に記載の剛性要素。
【請求項１４】
ラウドスピーカハウジングであって、
ハウジングの少なくとも１つの壁が、請求項１から請求項１０のいずれか１項に記載のパネルを含む、
ことを特徴とするラウドスピーカハウジング。
【請求項１５】
実質的に添付図面の図１から図１２を参照して上述したようなかつそれに示すような雑音抑制のためのパネル。
【発明の詳細な説明】
【技術分野】
【０００１】
本発明は、例えば、ラウドスピーカハウジングの一部又はコンプレッサハウジングの一部として、又は部屋又は講堂内の又は高速道路のような騒音源に隣接する騒音抑制パネルとして使用するための雑音抑制のためのパネルに関する。
【背景技術】
【０００２】
ドライバ又はコーンが装着されたラウドスピーカハウジングを考えると、ドライバが振動する時に、それは、ドライバの背後の空気に、並びにラウドスピーカの外側の空気に音波を生じる。ドライバの背後の音波は、筐体が実質的に剛性であり、かつ音波がそれを通って現れることができる開口又はポートがない場合には、筐体内に閉じ込めることができる。しかし、ドライバの背後のそのような密閉空間を用いると、ドライバの背後の空気内の圧力変動は、ドライバの動きを妨げ、従って、音を歪める可能性があり、この問題は、十分に大きい密閉空間を有することによって最小にすることができる。これに代えて、ドライバの背後の空間に音波がそれを通って現れることができる開口又はポートが備えられた場合に、これは、圧力変動から生じる問題を回避するが、他方、ドライバの前部によって生成された音波と、ドライバの後部によって生成されてポートを通って現れるものとの間の干渉がある場合がある。この問題は、ドライバのサイズに起因して低周波を生成するためのラウドスピーカに関して特に懸念されている。従って、ドライバの背後の音波を抑制することができることが望ましいであろう。
【発明の概要】
【発明が解決しようとする課題】
【０００３】
雑音抑制は、反響が音響特性に有害である建物、例えば、講堂又はコンサートホールにも要求される。雑音抑制は、高速道路が住宅区域と並んで走っている場合のような騒音源がある場合にも要求される。そのような場合に、不透過壁を使用することができるが、それらは、車両運転者に対して不快である音を反射して高速道路上に戻す傾向があることになり、かつ風荷重を受けることになり、従ってこれらは構造的に強固でなければならない。
【課題を解決するための手段】
【０００４】
本発明により、雑音抑制のためのパネルを提供し、パネルは、互いに平行に延びる多数の剛性要素を含み、隣接する剛性要素間に間隙があり、各間隙内には、音響波を減衰させる渦室が定められる。
【０００５】
好ましい実施形態において、剛性要素は、湾曲縁部分を有し、隣接する要素の縁部分は、互いに重なり、隣接する要素の重なった縁部分は、これらの間に渦室を定め、かつ渦室の周囲で渦室と連通して渦室に対してタンジェンシャルな構成要素に位置合わせする第１のチャネル及び第２のチャネルを同じく定め、そのために流体が第１のチャネルを通って又は第２のチャネルを通って流入するとすれば、流体は、渦室に対する回転方向を有して渦室に入ると考えられ、回転方向は、第１のチャネル及び第２のチャネルに対して同じである。
【０００６】
剛性要素は、剛性要素間のリンクによって相互接続することができ、要素及びリンクは、互いに一体化することができ、すなわち、パネル全体は、１つの一体構造とすることができる。これに代えて、剛性要素は、互いに固定された別々の構成要素である場合がある。第１のチャネル及び第２のチャネルの幅が剛性要素の相対移動の結果として変化しないことを保証するために、重なった縁部分の一方又は両方上にリブ又は突起を定めることができ、これらのリブ又は突起は、第１のチャネル又は第２のチャネルを通る流体流れを有意に制限することなく、重なった縁部分を望ましい分離で保持する。これに代えて又はこれに加えて、剛性要素は、剛性要素を横切って横断方向に延びることによって剛性要素を一緒に保持する支持ストリップに固定することができる。そのような支持ストリップは、パネルの片面又は両面に設けることができる。得られるパネルは、全ての剛性要素が同じ平面にある平坦とすることができ、又はこれに代えてパネルは湾曲することができる。
【０００７】
渦室は、空気がそこに流入する場合に円筒形渦をその内部に形成することができる室を意味する。渦室を定める壁は、部分的に円筒形である。空気が第１のチャネルを通って流入するとすれば、それは、特定の回転方向で渦室に入るであろうし、従って、渦を形成する傾向があると考えられる。更に、第２のチャネルの向きは、この渦が第２のチャネルを通って出る空気流を抑制すると考えられるようなものである。
【０００８】
第１のチャネル及び第２のチャネルは、渦室と連通する端部で均一幅の一部分を有することができ、かつ渦室から遠隔の漸増する幅の一部分を有することができる。
【０００９】
各剛性要素はまた、縁部分間の異なる中間位置で突出湾曲リブの少なくとも１つの対を含むことができ、この対は、より短い湾曲リブとより長い湾曲リブから構成され、それらは、隣接要素の縁部分が互いに重なる時に、１つの要素のより短い湾曲リブが隣接要素のより長い湾曲リブ内に延びてそれらの間に２次渦室を定めるように配置される。好ましくは、この場合に、隣接する要素はまた、２次渦室の周囲で２次渦室と連通して２次渦室に対してタンジェンシャルな構成要素に位置合わせする第１の２次チャネル及び第２の２次チャネルを定め、そのために流体が第１の２次チャネルを通って又は第２の２次チャネルを通って流入するとすれば、流体は、２次渦室に対する回転方向を有して２次渦室に入ると考えられ、回転方向は、第１の２次チャネル及び第２の２次チャネルに対して同じであり、第１の２次チャネルは、第１のチャネル又は第２のチャネルのいずれかと２次渦室から遠隔の位置で連通する。
【００１０】
２次渦室は、円筒形渦をその内部に形成することができる室を意味すること、及び２次渦室を定める壁は、部分的に円筒形であることは上記観察から認められるであろう。各リブ要素上に突出湾曲リブの２つのそのような対が存在する場合に、一方の場合では、２次渦室は、第第１の２次チャネルを通して１のチャネルと連通し、他方の場合では、２次渦室は、第１の２次チャネルを通して第２のチャネルと連通する。
【００１１】
その結果、得られるパネルが流体透過性であることは認められるであろう。突出湾曲リブが設けられない場合に、貫通チャネルが、第１のチャネル、渦室、及び第２のチャネルによって隣接する剛性要素間に定められる。１対の突出湾曲リブが設けられる場合に、貫通チャネルは、渦室と直列である２次渦室によって部分的に定められ、一方、突出湾曲ストリップの２つのそのような対が設けられる場合に、貫通チャネルは、その全てが直列である２次渦室、渦室、及び第２の２次渦室によって部分的に定められる。すなわち、パネルを通る各そのような流路は、渦が形成される少なくとも１つの室を含み、その入口及び出口は、入口によって発生されたどの渦流れも出口を通る流出を阻止することになるようなものである。
【００１２】
驚くことに、音波がパネル上に入射する時に、音波は、そのような渦経路を辿り、音波は、貫通チャネルを通過することが阻止されることが見出されている。パネル上に一方の面（これは前面と呼ばれる場合がある）で入射する音波は、前面から反射されるのではなく貫通チャネルを辿ることができるが、パネルの後面で貫通チャネルの他方の端部から現れる音波の強度は、かなり低減される。その結果、パネルは、反射音の強度を低減し、同時に後面から現れる伝達音の強度も同じく低減する。
【００１３】
渦室を直列に設けるが有益であることも見出されており、ここで渦室は、異なる半径方向寸法のものであり、その理由は、これが特定の波長での伝達音の抑制を強化することができるからである。その結果、２次渦室を定めるパネルにおいて、２次渦室が渦室に対して異なる半径方向寸法のものである場合が望ましい。渦室は、それらと連通するチャネルよりも大きい幅のものであり、同様に２次渦室は、それらと連通するチャネルよりも大きい幅のものである。好ましくは、渦室の幅は、対応するチャネルの幅よりも少なくとも１．５倍大きく、より好ましくは、５又は６倍大きいような少なくとも２倍大きく、又は１０倍又はそれよりも大きく、同じことは、２次渦室に対しても真である。
【００１４】
要素の向きは、一般的に重要ではない。例えば、パネルが矩形のものである場合に、要素が一貫した長さのものであり、従って、要素が全て矩形の長辺と平行に延びることができ、又は全て矩形の短辺と平行に延びることができる場合が通常はより好都合である。円形吸音パネルが形成される場合に、それは、異なる長さの複数の平行要素で形成することができ、その端部は、円形の周囲を定めるために湾曲している。要素は、剛性であるように指定されるが、広範な異なる材料で作ることができる。一部の場合に、それらは、プラスチック又は繊維強化プラスチック材料で作ることができる。これに代えて、それらは、鋼板又は別の金属で作ることができ、一部の用途では、それらは、コンクリートで作ることができる。
【００１５】
別の態様では、本発明は、そのようなパネルに使用するための剛性要素を提供する。
【００１６】
更に別の態様では、本発明は、ハウジングの少なくとも１つの壁がそのようなパネルを含むラウドスピーカハウジングを提供する。
【００１７】
ここで単に一例としてかつ添付図面を参照して本発明を更にかつより具体的に以下に説明する。
【図面の簡単な説明】
【００１８】
【図１】本発明のパネルの斜視図である。
【図２】図１のパネルの端面図である。
【図３】図１のパネルの単一要素の端面図である。
【図４】異なるサイズの渦室を有する本発明のパネル上への法線入射に対する伝達損失の周波数による変動を示すグラフ図である。
【図５ａ】図３の要素に対する修正の端面図である。
【図５ｂ】図３の要素に対する修正の端面図である。
【図６】図３の要素に対する代替修正の端面図である。
【図７】本発明の代替パネルの端面図である。
【図８】図７のパネルの要素の端面図である。
【図９】本発明の別の代替パネルの端面図である。
【図１０】図９のパネルの要素の端面図である。
【図１０ａ】図１０の要素に対する修正の端面図である。
【図１１】本発明のパネルを組み込むラウドスピーカハウジングの側面図である。
【図１２】図１１のラウドスピーカハウジングに対する修正の側面図である。
【発明を実施するための形態】
【００１９】
ここで図１を参照すると、パネル１０は、噛み合うように配置された複数の剛性要素１２から構成される。要素１２は、あらゆる望ましい長さのものとすることができ、例えば、プラスチック又は金属（例えば、アルミニウム）のようなこれらの用途に適切なあらゆる剛性材料で作ることができ、それらは、例えば、押出しによって形成することができる。これに代えて、要素１２は、３−Ｄ印刷により、例えば、高速フィラメント形成によって形成することができる。パネル１０は、パネル１０を作るのに使用する要素１２の数によってのみ決定されるあらゆる望ましい幅のものとすることができる。
【００２０】
同じく図２及び３を参照すると、各要素１２は、断面及び端面図がＳ字形である。図１及び２に示すように、要素１２は、円筒形渦室１５（一部は破線に示す）、並びにパネル１０の対向面及び渦室１５と連通する２つのチャネル１６ａ及び１６ｂを生成するために、隣接要素１２の縁部分１４が重なるように配置される。各そのようなチャネル１６ａ及び１６ｂは、渦室１５の周囲とタンジェンシャルに連通し、両方とも、各チャネル１６ａ及び１６ｂを通って流入するどの空気も渦室１５の周囲をその回転方向で流れるように向けられ、この例では、それは、図示のように各チャネル１６ａ及び１６ｂに対して反時計回りになる。各チャネル１６ａ及び１６ｂは、渦室１５の近くで実質的に均一幅のものであり、次に、それがパネル１０の面に来ると外に広がる。渦室１５は、２０ｍｍ〜５０ｍｍの幅、例えば、２５ｍｍ〜３５ｍｍの幅のものとすることができる。一例では、渦室１５は、幅３１ｍｍのものであり、チャネル１６ａ及び１６ｂは、幅５ｍｍ又は６ｍｍのものである。
【００２１】
従って、空気はパネル１０を通じて流れることができる。しかし、空気がパネル１０を通じて急速に流れようとするほど、渦室１５内に渦を形成する傾向の程度が大きくなる。チャネル１６ａ又は１６ｂのいずれでも、空気は、渦室１５に流入し、渦は、矢印１８に示すように反時計回りになり、従って、渦は、他のチャネル１６ａ又は１６ｂの向きのために空気の流出を阻止することになる。類似の現象が音に伴って起こることは公知である。音波がパネル１０の一方の面に入射する場合に、音エネルギの大半は、チャネル１６ａ又は１６ｂに沿って渦室１５内に通されることになり、音エネルギはほとんど反射されない。音波は、圧力が増加した領域と圧力が減少した領域から構成され、それらは、渦室１５内で互いに相殺する傾向がある。その結果、音エネルギは、パネル１０を通してほとんど伝達されない。
【００２２】
連続する要素１２間の間隔は、２０（図２の）において破線に示すように、チャネル１６ａ及び１６ｂ内のインサート、突起、又は隆起部によって維持することができる。勿論、インサートは、渦１５及び接続チャネル１６ａ及び１６ｂの形状（図示のように）に切断されたシートとすることができ、そのために切り取ったシートは、連続する要素１２を必要な相対位置に保持し、その縦軸線に沿って渦室１５を分割するようになる。これに代えて又はこれに加えて、間隔は、図１に示すように、それぞれのボルト又はリベット２３によって要素１２を支持ストリップ２２取り付けることによって保証することができ、支持ストリップ２２は、パネル１０を横切って横断方向に延びて剛性要素１２を互いに保持する。そのような支持ストリップ２２は、パネルの一方又は両方の面に設けることができる。パネル１０は、平坦とすることができ、全ての要素１２の対応する部分は、同じ平面に位置し（従って、例えば、全ての渦室１５の縦軸線は同一平面にあり）、又はこれに代えて、パネル１０は、湾曲している場合がある。
【００２３】
ここで図４を参照すると、これは、一連の異なる周波数ｆに対して、パネル１０の一方の面の法線に沿って入射する音に対するパネル１０の対向する面の近くで観察される時の伝達損失βの変動（デシベルでの）のグラフに示している。周波数ｆは、対数目盛上にある。結果は、異なるサイズの渦室１５に対して示されており、実線Ｐは、直径３１ｍｍの渦室１５に対する結果を示し、破線Ｑは、そのサイズの半分の直径の渦室１５に対する結果を示している。約３０Ｈｚを超える全ての周波数に対して、伝達損失βは、一般的に、少なくとも約２０００Ｈｚまでは周波数と共に増加することは認められるであろう。より大きい渦室１５（線Ｐを参照）に対して、約７００Ｈｚの周波数で伝達損失βの限局的な低減が存在し、一方、より小さい渦室１５（線Ｑを参照）に対して、約１２５０Ｈｚの周波数で伝達損失βの類似の限局的な低減が存在することも観察されるであろう。伝達損失βは、パネル１０を通過する音の減衰を示している。
【００２４】
ここで図５ａを参照すると、要素１２に対する修正である要素２４の端面図が示されている。要素２４は、要素１２のものと同じ縁部分１４を有し、すなわち、同じ形状及びサイズのものであるが、縁部分１４は、各要素２４が幾分広くなるようにジグザグ部分２５によって相互接続されている。要素２４は、要素１２に関して上述したものと正確に同じ方法でパネルに組立てることができる。これは、望ましい幅のパネルを要素１２と比較するとより少ない要素２４で形成することを可能にするが、そのようなパネルは、渦室１５がより少なくなるので吸音内の効果は幾分小さくなる。
【００２５】
ここで図５ｂを参照すると、要素１２の代替修正である要素２６の端面図が示されている。要素２６は、形状及びサイズが要素１２及び２４のものと同じ縁部分１４を有するが、縁部分１４は、より厚い板部分２７によって相互接続されるので、各要素２６は、要素１２よりも広い。これらの要素２６は、上述のようにパネルに組立てることができるが、要素２４のように、そのようなパネルは、対応するパネル１０によって提供されるよりも少ない渦室１５を提供するであろう。
【００２６】
ここで図６を参照すると、要素１２の別の代替修正である要素２８の端面図が示されている。この場合に、要素２８は、要素１２の対応する縁部分１４と同じ１つの縁部分１４ａを有し、かつ対向縁部に沿って、縁部分１４ａに対する鏡像である縁部分１４ｂを有する。２つの湾曲縁部分１４ａ及び１４ｂは、逆向きに湾曲した中心部分２９によって接合される。複数の要素２８は、上述のように互いに組立てることができるが、この場合に、交替する要素２８は、例えば、縦軸線の周囲を１８０°回転して向きを変える必要があり、それによって隣接要素２８の縁部分１４ａが重なり、隣接する２８の縁部分１４ｂが重なり、隣接要素２８の中心部分２９の凸面は、その結果、得られるパネルの両面にあるようになる。
【００２７】
要素２４、２６、又は２８は、雑音抑制パネルを形成するのに使用することができるが、連続する間隙の間、すなわち、連続する湾曲縁部分１４間、従って連続する渦室１５間でパネルを横切る空間は、要素１２よりも幾分大きい。要素２４、２６、及び２８の各々において、中心部分、すなわち、それぞれジグザグ部分２５、板部分２７、及び湾曲中心部分２９が存在し、これは、渦室１５又は接続チャネル１６を定めるのに寄与せず、かつこれは音エネルギを反射する場合がある。その結果、ほとんどの目的に対して、Ｓ字形要素１２が好ましい。それにも関わらず、要素２４、２６、又は２８が有利である状況が存在する場合があり、いずれの場合でも、要素２４、２６、又は２８は、要素１２と組み合わせて使用して、例えば、定められた幅のパネルを得ることができる。
【００２８】
音が順番に通過する必要がある渦室を設けることにより利益が生じる場合がある。ここで図７を参照すると、本発明の代替パネル３０は、噛み合うように配置された複数の剛性要素３２から構成される。要素３２は、あらゆる望ましい長さのものとすることができ、上述のように、それらは、例えば、プラスチック又は金属（例えば、アルミニウム）で作ることができ、例えば、押出しによって又は３−Ｄ印刷によって形成することができる。パネル３０は、パネル３０を作るのに使用する要素３２の数によってのみ決定されるあらゆる望ましい幅のものとすることができる。
【００２９】
同様に図８を参照すると、各要素３２は、要素１２のものと同じ縁部分１４を有し、上述のように、隣接要素３２の縁部分１４は、上述のような円筒形渦室１５と、上述のような渦室１５と連通するチャネル１６ａ及び１６ｂとを生成するように重なっている。チャネル１６ａは、パネル３０の一方の面と連通する。
【００３０】
各要素３２はまた、より短い湾曲リブ３４とより長い湾曲リブ３７の２つの湾曲リブを定める。図７で見られるように、要素３２をパネル３０に組立てる時に、より短い湾曲リブ３４は、より長い湾曲リブ３７内にあり、かつこれらの間に２次渦室３５（破線に示す）を定め、これに加えて、チャネル３６ａは、より短い湾曲リブ３４とより長い湾曲リブ３７の内面の一部との間に定められ、チャネル３６ｂは、より長い湾曲リブ３７の外面の一部と要素３２の隣接する部分との間に定められる。各そのようなチャネル３６ａ及び３６ｂは、渦室３５の周囲とタンジェンシャルに連通し、両方とも、各チャネル３６ａ及び３６ｂを通って流入するどの空気も渦室３５の周囲を同じ回転方向で流れるように向けられ、この例では、それは、図示の各チャネル３６ａ及び３６ｂに対して反時計回りになる。各チャネル３６ａ及び３６ｂは、渦室３５の近くで実質的に均一幅のものであり、チャネル３６ａはチャネル１６ｂと連通し、２次渦室３５から離れて徐々に広くなるのに対して、チャネル３６ｂは、それがパネル３０の面に来ると外に広がる。この例では、渦室３５の幅は、チャネル３６ａ又はチャネル３６ｂの幅よりも約４倍大きい。
【００３１】
従って、パネル３０はまた、前面から後面までの貫通チャネルを定め、各そのようなチャネルは、流体流れに関して直列である２つの渦室１５及び３５を含むことは認められるであろう。この例では、渦室１５及び３５は、異なる半径方向寸法を有し、音伝達の減衰へのそれらの影響において相補的であると予想することができる。図４に関して上で議論したように、そのような渦によって生成される減衰は、渦室の半径方向寸法の影響をある程度受ける場合がある。異なる半径方向寸法の２つの渦室１５及び３５を設けることにより、一方の渦室によって部分的に減衰するに過ぎないいずれの周波数も他方の渦室によって更に減衰することになると予想することができる。
【００３２】
より多くの数の渦室を順番に設けることにより、音のより大きい減衰を得ることができる。ここで図９を参照すると、本発明の代替パネル４０は、噛み合うように配置された複数の剛性要素４２から構成される。要素４２は、あらゆる望ましい長さのものとすることができ、上述のように、それらは、例えば、プラスチック又は金属（例えば、アルミニウム）で作ることができ、例えば、押出するか又は３−Ｄ印刷によって形成することができる。パネル４０は、パネル４０を作るのに使用する要素４２の数によってのみ決定されるあらゆる望ましい幅のものとすることができる。
【００３３】
同様に図１０を参照すると、各要素４２は、要素１２のものと同じ縁部分１４を有し、上述のように、隣接要素４２の縁部分１４は、上述のような円筒形渦室１５と、上述のような渦室１５と連通する２つのチャネル１６ａ及び１６ｂとを生成するように重なっている。
【００３４】
各要素４２はまた、２対の湾曲リブを定め、湾曲リブの１つのそのような対は、要素４２の各側にある。パネル３０に関して上述したように、湾曲リブの各そのような対は、より短い湾曲リブ３４とより長い湾曲リブ３７から構成される。図９で見られるように、要素４２をパネル４０に組立てる時に、より短い湾曲リブ３４は、パネル４０の各側でより長い湾曲リブ３７内にあり、これらの間に２次渦室３５（破線に示す）を定め、更に、チャネル３６ａは、より短い湾曲リブ３４とより長い湾曲リブ３７の内面の一部との間に定められ、チャネル３６ｂは、より長い湾曲リブ３７の外面の一部と要素４２の隣接する部分との間に定められる。これらの特徴は、パネル３０のものと実質的に同じであり、違いは、パネル４０の両面に渦室３５が存在することである。
【００３５】
従って、パネル４０は、前面から後面までの貫通チャネルを定めることは認められるであろう。例えば、パネル４０の上部から始まって（図９に示すように）、貫通経路は、先細チャネル３６ｂ、渦室３５、チャネル３６ａ及び１６ａ、渦室１５、チャネル１６ｂ及び３６ａ、渦室３５、及びパネル４０の底部まで外に広がるチャネル３６ｂから構成される（図示のように）。すなわち、各そのような貫通チャネルは、流体流れに関して及び音の伝播に関して直列である３つの渦室１５及び３５を含む。従って、これは、音伝達の抑制においてなお一層有効であると予想することができる。
【００３６】
好ましくは、各渦室１５及び３５は、それと連通する各チャネル１６又は３６の幅の少なくとも２倍の直径を有する。上述の例では、各渦室１５は、接続チャネル１６よりも５又は６倍広い。同様に、各２次渦室３５は、接続チャネル３６よりも約４倍広い。
【００３７】
各要素４２の両面でのリブ３４及び３７の対は、同じサイズのものであるように示されており、従って、同じサイズの渦室３５を生成し、両面でのリブ３４及び３７の対は、代わりに、異なる半径方向サイズの渦室３５を生成するために異なるサイズのものとすることができる。更に別の修正では、縁部分１４の縁部及び突出湾曲リブ３４及び３７の縁部は、鋭い縁部まで先細にすることができ、これは、渦室１５及び２次渦室３５内の渦形成に役立たせることができ、これは、図１０ａに示されており、縁部分１４は、鋭い縁部４４を有し、同時に、リブ３４及び３７は、鋭い縁部４５及び４６を有する。
【００３８】
ここで図１１を参照すると、ラウドスピーカドライバ５２（破線に示す）を装着することができるラウドスピーカハウジング５０が示されている。ラウドスピーカハウジング５０は、ドライバ５２がその背後に装着される開口５５（破線に示す）を定める前板５４、後板５６、及び円筒形側壁６０から構成される。前板５４及び後板５６は円形であり、側壁６０よりも大きい直径のものであり、かつ周囲の回りでボルト５８（そのうちの２つのみが示されている）によって互いに保持される。
【００３９】
この例では、側壁６０は、それが図２に関して上述したように重なるが、平坦な面ではなくて円筒面を定める図３に示すような複数の剛性要素１２から構成されるのでパネル１０に類似している。この例では、剛性要素１２は、押出プラスチックのものであり、要素１２の端部は、前板５４及び後板５６に定められた相応に成形された凹部、すなわち、ほぼＳ字形溝に位置し、これは、これらが正しい相対位置に保持されてこれらの間に渦室１５を定めることを保証する。チャネル１６ａは、側壁６０の外面まで外に開いている。
【００４０】
ドライバ５２が振動する時に、それは、その前面及びその後面の両方から音波を発生する。後面からの音波は、部分的に円筒側壁６０によって定められた室内にある。上述のように、剛性要素１２間の間隙を通る音波の伝播は、渦室１５によって抑制され、その結果、ドライバ５２の後面からの音は、前面からのものと干渉するのではなく減衰される。
【００４１】
ラウドスピーカハウジングは、例えば、図１に示すように４つの平坦パネル１０を有し、ハウジング５０の円筒側壁６０ではなくて矩形又は正方形側壁を定めるという点でここに示すものとは異なる場合があることは認められるであろう。
【００４２】
ドライバ５２の後面からの音波の更に別の減衰を必要とする場合に、これは、音が伝播する必要がある追加の渦室を設けることによって達成することができる。例えば、円筒壁は、上述のように剛性要素３２で作ることができ、その結果、順番に２つの渦室が存在するようになり、又は上述のように剛性要素４２で作ることができ、その結果、順番に３つの渦室が存在するようになる。これに代えて、ラウドスピーカハウジングは、一方を他方の内側にした２つの側壁を有することができ、各側壁は、その間に例えば要素１２の形状を有する渦室１５を定める複数の剛性要素から構成され、そのために内側側壁によって定められる渦室１５は、外側側壁によって定められる渦室１５と直列になる。内側側壁を構成する剛性要素１２は、外側側壁を形成するものとは異なる幾何学的サイズ（断面で）のものとすることができ、そのために対応する渦室１５は、異なる半径方向寸法のものである。
【００４３】
図１１のラウドスピーカハウジング５０では、各剛性要素１２は、前板５４と後板５６の間の分離に凹部の深さを加えたものに等しい長さのものである。従って、得られる渦室１５は、前板５４と後板５６の間の分離に等しい長さのものである。一部の場合では、より短い渦室１５を設けることが有利であることが見出されている。これは、各剛性要素１２を端から端まで配置された複数のより短い要素１２と置換することによって達成することができ、連続するより短い要素１２は平坦板によって分離される。ラウドスピーカハウジング５０では、側壁６０は、円筒形のものであるので、各そのような平坦板は、環状とすることができ、その半径方向幅は、各剛性要素１２の半径方向幅に実質的に等しい。
【００４４】
従って、図１２を参照すると、これは、各剛性要素１２が、２つの平坦な環状板７２によって分離された前板５４と後板５６の間の分離の長さの約三分の一の長さの３つの剛性要素１２に単によって置換されるという点で、ラウドスピーカハウジング５０とは異なるラウドスピーカハウジング７０を示している。より一般的には、端から端まで配置された分離の約１／Ｎ倍の長さのＮ剛性要素１２が存在することができ、Ｎ剛性要素１２は、（Ｎ−１）のそのような平坦な環状板７２によって分離される。これは、各渦室１５が前板５４と後板５６の間の分離の約１／Ｎ倍の長さのものであるという効果を有する。前板５４及び後板５６の場合のように、各平坦環状板７２は、剛性要素１２の端部がそれと嵌合するＳ字形溝を定めることができる。
【００４５】
ラウドスピーカ７０では、すなわち、３セットの剛性要素１２が存在し、各セットは、ほぼ円筒形の壁を形成し、従って、全ての剛性要素１２は、長手方向に互いに平行に延び、図示のように、１セットの剛性要素１２が、隣接するセットの剛性要素１２に位置合わせする。更に別の修正では、１セットの剛性要素１２は、隣接するセットの剛性要素１２に位置合わせせず、すなわち、１セットは、隣接するセットに対して交互配置されるということである。勿論、１セットの剛性要素１２は、隣接するセットのものとは異なる形状のもの、例えば、異なる長さのものとすることができる。
【００４６】
ラウドスピーカ７０の円筒壁は、その軸線方向長さが前板５４と後板５６の間の分離の約三分の一である渦室１５を定める。異なる高さの円筒壁を必要とする場合に、これは、端から端まで配置された剛性要素１２の数Ｎを変えるか、又は剛性要素１２の長さを変えるかのいずれかによって達成することができる。一部の用途では、音減衰は、その軸線方向長さが３０ｍｍ未満、より好ましくは、２０ｍｍ未満の渦室１５を定める剛性要素１２を使用するによって改善することができることが見出されている。
【００４７】
従って、本発明は、広範な用途に使用することができ、かつ異なる用途に対して様々な異なるサイズで形成することができる雑音抑制のためのパネルを提供することが認められるであろう。いずれの場合も、パネルは、空気がそれを通って流れることができ、一方、音を減衰することによって音伝達を抑制し、音反射を低減する間隙を提供する。一例として、ラウドスピーカハウジングとの関連で上述した側壁６０のようなパネルはまた、コンプレッサ、モータ、又は発電機のような異なる音源のためのハウジングを構成するのに適用可能であると考えられる。単一パネルは、建物内の雑音抑制天井タイル又は壁パネル又は間仕切りとして、又は工場又は高速道路のような騒音源に隣接する雑音抑制フェンス又は障壁を構成するのに使用することができる。パネルを作る材料は、その用途に適するように選択されることは認められるであろう。例えば、パネルは、鋼又はアルミニウムのような金属、又は繊維強化プラスチックのような複合材料、又はプラスチック材料で作ることができる。一部の用途に対して、コンクリートのような他の材料が適切である場合がある。
【００４８】
他の変形及び修正は、当業者には明らかであろう。そのような変形及び修正は、既に公知であって本明細書に説明する特徴の代わりに又はこれらに加えて使用することができる均等物及び特徴を伴う場合がある。別々の実施形態との関連で説明した特徴は、単一の実施形態に組み合わせて提供することができる。逆に、単一実施形態との関連で説明した特徴は、別々に又はあらゆる適切な部分組合せで提供することもできる。
【００４９】
用語「含む」は、他の要素又は段階を排除せず、用語「ａ」又は「ａｎ」は、複数を排除せず、単一の特徴は、特許請求の範囲に引用したいくつかの特徴の機能を満たすことができ、特許請求の範囲の参照符号は、特許請求の範囲を限定すると解釈すべきではないことに注意しなければならない。図は必ずしも正確な縮尺になっておらず、その代わりに一般的に本発明の原理を示すことに重点が置かれている点も注意しなければならない。
【符号の説明】
【００５０】
１０  雑音抑制パネル
１２  剛性要素
１５  渦室
１６ａ、１６ｂ  チャネル
２２  支持ストリップ
【図１】
2018506738.tif 000003
【図２】
2018506738.tif 000004
【図３】
2018506738.tif 000005
【図４】
2018506738.tif 000006
【図５ａ】
2018506738.tif 000007
【図５ｂ】
2018506738.tif 000008
【図６】
2018506738.tif 000009
【図７】
2018506738.tif 000010
【図８】
2018506738.tif 000011
【図９】
2018506738.tif 000012
【図１０】
2018506738.tif 000013
【図１０ａ】
2018506738.tif 000014
【図１１】
2018506738.tif 000015
【図１２】
2018506738.tif 000016
【国際調査報告】
2018506738.tif 000017
2018506738.tif 000018
2018506738.tif 000019